(57)【要約】【課題】２台の車両を連結する床であって、カーブを曲がる際には両車両の相対的変位に追従することを可能とするとともに、乗客がその床の上面を歩くことにより両車両間を移動することを可能とするための横方向の起伏を有し、それら起伏が横方向に伸びる金属製ブレードによって補強され、各対の金属製ブレード間にエラストマ補強構造部が設けられる床の耐久性を向上させる。【解決手段】各エラストマ製補強部の横方向の寸法を２Ｌ0とし、各エラストマ製補強部を少なくとも１つのエラストマ片３０から成るものとする。床の前後方向の端１２、１４に隣接する少なくとも１対の金属製ブレード１５の間のエラストマ製補強部を、前後方向に平行な面である床の前後方向対称面から離隔した少なくとも２つのエラストマ片３０から成るものとする。※※【選択図】  図３ａ
2005239150.tif 000002
【特許請求の範囲】
【請求項１】
直線走行している間は前後方向に移動する２台の車両の間の連絡用蛇腹のための、変形能を有する床であって、両車両がカーブを曲がる際のそれらの相対的変位に対する床の追従を可能にすると共に乗客が床の上面を歩くことにより両車両間の移動を可能にするための横方向の起伏を有し、それら横方向の起伏が床の横方向に伸びる複数の金属製ブレードによって補強されており、かつ、それら金属製ブレードの各対の間にエラストマ補強部が介装されている床において、
前記エラストマ補強部がほぼ同じ横方向寸法２Ｌ0を有し、かつ、各々が少なくとも１つのエラストマ片（３０）から成り、床の前記前後方向の端（１２、１４）に隣接する少なくとも１対の金属製ブレード（１５）の間に介装されたエラストマ補強部が、前記前後方向に平行な面である床の前後方向対称面（ＸＸ’）から離隔した少なくとも２つのエラストマ片（３０7）から成ることを特徴とする床。
【請求項２】
前記少なくとも１対の金属製ブレード（１５）の間に介装されたエラストマ補強部を構成するエラストマ片（３０7）の数が２であり、それら２つのエラストマ片は同じ横方向寸法Ｌ0を有し、かつ、前記前後方向対称面に関して互いに対称に設けられている請求項１に記載の床。
【請求項３】
床の横方向に伸びる中央面（２０）の各側にｎ個のエラストマ補強部が設けられており、ランクiがｎ−ｐからｎまでの範囲に属するエラストマ補強部は各々が少なくとも２つのエラストマ片（３０n-p・・・３０n-1，３０n）から成り、ランク１は前記中央面（２０）に隣接するエラストマ補強部を示し、ランクｎは床の前記前後方向端（１２，１４）に隣接するエラストマ補強部を示し、ランクiがｎ−ｐからｎまでの範囲に属する前記エラストマ補強部は、前記前後方向対称面（ＸＸ’）からの距離ｄがランクiの増加関数であるエラストマ片から成る請求項１または請求項２に記載の床。
【請求項４】
前記増加関数が一次関数である請求項３に記載の床。
【請求項５】
ランクiが１からｎ−ｐ−１までの範囲に属するエラストマ補強部は各々が１つの連続的エラストマ片、または、横方向に相互に離隔した１対のエラストマ片から成る請求項３または請求項４に記載の床。
【請求項６】
ｎ＝７かつｐ＝４である請求項３または請求項５に記載の床。
【請求項７】
前記エラストマ補強部の各々が１対の金属部材（４０）の間に介装され、それら金属部材が前記金属製ブレード（１５）にそれぞれ取り付けられ、それら金属部材と前記エラストマ補強部とによって少なくとも１つの取り外し可能な構造体が形成された請求項１から請求項６の何れかに記載の床。
【発明の詳細な説明】
【技術分野】
【０００１】
本発明は、２台の車両間の連絡通路用蛇腹のために設計された、変形能を有する床に関する。それらの車両としては、特に、地下鉄電車、路面電車等の鉄道車両や、連結バス等の連結車両がある。
【背景技術】
【０００２】
上記の床は、例えば、１９８８年２月１６日にウッチンソン（Hutchinson）から出願されたヨーロッパ特許第８６０３０５に開示されている。
【０００３】
上記床は、金属製ブレードによって補強された横方向の起伏を有し、その床の底部は、通路部を構成する床の中心部においてそれら金属製補強ブレード間にエラストマ補強部が配設されることにより、補強されている。床またはそれを覆うマットの上面は、通路部において平坦であり、踏み板部が浮き彫り形成されている。
【０００４】
上記金属製ブレード間の隙間に配設されたエラストマ補強部の幅は、床の中央において最小であり、支持体の組み付け後、２台の車両のそれぞれの車体に固定される床の前後方向両端に接近するに従って徐々に増大する。
【０００５】
しかし、上記従来のエラストマ補強部には、急なカーブとそれに続く逆向きの戻りのカーブに対応して、２台の車両がそれぞれの前後方向軸をほぼ平行に保ちつつ、合計回転角αMの扇状展開を伴って横方向にずれるという位置関係で移動している場合に、変移の分布を最適化することができないという問題がある。
【発明の開示】
【発明が解決しようとする課題】
【０００６】
本発明は、上記の問題を少なくとも部分的に解消することができる連絡用蛇腹の床を提供する。
【課題を解決するための手段】
【０００７】
本発明は、直線走行している間は前後方向に移動する２台の車両の間の連絡用蛇腹のための、変形能を有する床であって、両車両がカーブを曲がる際のそれらの相対的変位に対する床の追従を可能にすると共に乗客が床の上面を歩くことにより両車両間の移動を可能にするための横方向の起伏を有し、それら横方向の起伏が床の横方向に伸びる複数の金属製ブレードによって補強されており、かつ、それら金属製ブレードの各対の間にエラストマ補強部が介装されている床において、前記エラストマ補強部を、ほぼ同じ横方向寸法２Ｌ0を有し、かつ、各々が少なくとも１つのエラストマ片から成り、床の前記前後方向の端に隣接する少なくとも１対の金属製ブレードの間に介装されたエラストマ補強部が、前記前後方向に平行な面である床の前後方向対称面から離隔した少なくとも２つのエラストマ片から成るものとしたことを特徴とする。
【０００８】
本発明に係る床においては、前記少なくとも１対の金属製ブレードの間に介装されたエラストマ補強部を構成するエラストマ片の数が２とされ、それら２つのエラストマ片が同じ横方向寸法Ｌ0を有するものとされ、かつ、前後方向対称面に関して互いに対称に設けられることが望ましい。
また、床の横方向に伸びる中央面の各側にｎ個のエラストマ補強部が設けられ、ランク１が前記中央面に隣接するエラストマ補強部を示し、ランクｎが床の前記前後方向端に隣接するエラストマ補強部を示す場合に、ランクiがｎ−ｐからｎまでの範囲に属するエラストマ補強部は各々が少なくとも２つのエラストマ片から成り、ランクiがｎ−ｐからｎまでの範囲に属するエラストマ補強部は、前後方向対称面（ＸＸ’）からの距離ｄがランクiの増加関数であるエラストマ片から成るものとされることが望ましい。
前記エラストマ補強部の各々が１対の金属部材の間に介装され、それら金属部材が金属製ブレードにそれぞれ取り付けられ、それら金属部材と前記エラストマ補強部とによって少なくとも１つの取り外し可能な構造体が形成されるようにすることができる。
【発明の効果】
【０００９】
本発明によれば、従来の床に比較して、横方向の剪断変形時における各金属製ブレードの回転角度と平行移動の大きさとの分布を均一化し、床の耐久性を向上させることが容易となる。
【実施例】
【００１０】
本発明の上記および他の特徴および利点は、本発明の実施例を示す添付の図面および以下の記載からより明確となる。
【００１１】
図１は、ヨーロッパ特許第８６０３０５号等によって開示された床を示している。この床は、成形（モールディング）により得られる固形のエラストマを含んでいる。この固形エラストマは、補強材としての金属製ブレード１５により構成される横方向の複数の起伏（undulations)１６を有する。起伏１６は、床の中心部分において、エラストマ補強構造部１０によって分断されている。エラストマ補強構造部１０の幅Ｌは、中央部分１１において最小であり、２台の車両のそれぞれの車体に固定される前後方向の両端１２，１４に接近するに従って徐々に増大する。
【００１２】
上記の床は２つのハーフ部分からなり、中央面２０には中央リング２２が設けられ、２つのハーフ部分のそれぞれの一方の端１２，１４が２台の車両のそれぞれの車体に固定されている。２つのハーフ部分は同じ構成を有し、それぞれの他方の端が中央リング２２に固定されることにより、相互に直列に接続されている。
【００１３】
図２は、急なカーブとそれに続く逆向きの戻りのカーブに対応する位置関係において、２台の車両のそれぞれの車体の端、つまり、それらに固定された床の前後方向両端１２，１４がほぼ平行を保ちつつ横方向にずれることにより、合計回転角αMの扇状変形が生ずることを示している。この合計回転角αMを以下に説明する。
【００１４】
床を補強する補強構造部（エラストマ補強構造部１０）は、エラストマ固体片から成る弾性変形可能部と金属製補強ブレード１５との組み合わせからなる層構造である。
【００１５】
前後方向両端１２、１４の横方向のずれにより、水平面内に剪断現象が生ずる。  この剪断現象の効果は以下のものを含む。
−  金属製ブレード１５を前後方向両端１２，１４に平行な床の横方向に平行移動させるようとする平行移動成分。
−  金属製ブレード１５を、中央面２０に関して対称に、互いに角度α1，α2，α3・・・だけ回転させようとする回転成分。
【００１６】
金属製ブレード１５に作用する回転成分は、前後方向両端１２，１４付近においてより大きく、床の横方向の対称軸を構成する中央面２０付近においてほぼゼロである。
【００１７】
図１に示される従来の床には、上記横方向の平行移動の大きさが各金属製ブレード１５について均一でないという問題がある。つまり、横方向の平行移動の大きさは中央部分１においてより大きく、その結果、より高レベルの剪断現象が中央部分１１において発生し、そのため、床の耐久性が低下する。
【００１８】
図３ａは、本発明の実施例としての床を示している。この床の横方向の両端部１３は公知のように上方に向かって湾曲し、起伏１３０を有している。起伏１３０のピッチは、例えば、起伏１６の整数倍である。横方向両端部１３はそれぞれ、連絡通路の外周を規定する蛇腹部（図示せず）に固定されている。起伏１６の中で、起伏１３０の谷部に対応する谷部を有する起伏１６1は、横方向に延長されて、起伏１３０に達している。
【００１９】
図３ａに示すように、本発明においては補強部が連続的ではない。つまり、各補強部は、床の前後方向軸ＸＸ’に関して対称に配置されて同じ長さＬ0を有する少なくとも２つの補強ブロック３０に分離されている。補強ブロック３０はエラストマ製の固形ブロックであり、特許請求の範囲でいう「エラストマ片」の一例である。また、床の前後方向軸ＸＸ’は２台の車両が直進走行する際に移動する方向である。
【００２０】
図３ｂは図３ａの実施例の変形例を示しており、床の中央部分に位置するいくつかの対の補強ブロックが一体化されて、長さ２Ｌ0の１つの補強ブロック３１とされている。
【００２１】
回転応力が小さい中央面２０から有意の距離だけ離れた位置から、回転応力が最大である前後方向両端１２，１４に接近するに従って徐々に、各対の補強ブロック３０の前後方向軸ＸＸ’からの距離が増大し、その結果、ほぼＸ字状に配置される。
【００２２】
図３ａの実施例においては、中央面２０に隣接する２対のランク１の補強ブロック３０1，３０1’と、２対のランク２の補強ブロック３０2，３０2’とは、前後方向軸ＸＸ’から距離ｄ0だけ離れており、３以上のランクの補強ブロック３０3，３０3’・・・３０7，３０7’は、前後方向軸ＸＸ’からそれぞれ距離ｄ1，ｄ2，ｄ3，ｄ4，ｄ5だけ離れている。距離ｄ1，ｄ2，ｄ3，ｄ4，ｄ5は何れも距離ｄ0より大きく、ランク（ｄの添え字で示されている）が上がるに従って徐々に増大する。
【００２３】
補強ブロック３０の合計幅および補強ブロック３１の幅がすべて２Ｌ0で一定であることから、各金属製ブレード１５に発生する平行移動成分が互いに等しくなる。従って、各金属製ブレード１５の平行移動の大きさの分布は均一になる。
【００２４】
また、長さＬ0の補強ブロック３０が、床の前後方向軸ＸＸ’を含む床の前後方向対称面から徐々にかつ互いに対称に離れていくことから、それら徐々に増大する間隔（ｄ1，ｄ2，ｄ3，ｄ4，ｄ5）によって、各対の補強ブロック３０が、２台の車両のそれぞれの車体の端に接近するに従って増大する回転成分を打ち消すためのトルクを徐々に増大させつつ発生させることが可能となり、その結果、各金属製ブレード１５の回転角α1，α2，α3・・・の分布がより均一になる。また、回転角の分布が均一化される結果として、補強構造部ひいては床の耐久性が改善される。
【００２５】
このように、金属製ブレード１５の回転角α1，α2，α3・・・が実質的に等しくなるように、補強ブロック３０の間隔ｄ1，ｄ2，ｄ3，ｄ4，ｄ5相互の関係を決定することができる。
【００２６】
実施例（直線的な腕を有するＸ形状）に対応する線形関係は一次的近似として適当である。
【００２７】
図４ａ，４ｂ，４ｃ，４ｄは、本発明の床の他の実施例を示している。この床の補強構造部は取り外し可能とされ、以下のような利点を有する。
補強ブロック３０が、独立した構造体の一部とされているので、起伏１６を分断する必要がなく、従って起伏１６が連続性を有することができ、その結果、応力集中の源である起伏１６と補強ブロック３０の接続を避けることができるので、床の耐久性が向上する。
起伏１６が補強ブロック３０によって分断されることがないので、補強ブロック３０を前後方向軸からより大きな距離だけ離隔させることが可能となり、その結果、各金属製ブレードの回転角を容易に最適化させることができる。
床を交換することなく、補強構造部のみを交換することができる。
床の製造がより簡易となり、特に鋳型がより簡易となる。
【００２８】
図４ｂに詳細に示すように、取り外し可能な補強構造部ないし“梁（beam）”は、金属製の要素として例えば金属製ブレード４０を含み、それらの間に長さＬ0の補強ブロック３０が介装される。金属製ブレード４０は、２つの部分４０1，４０2が横方向に並んで設けられてもよいし、中央部分に位置するいくつかの金属製ブレード４０のように一体化されていてもよい。
【００２９】
図４ｃに示すように、各金属製ブレード４０は、床の金属製ブレード１５に取り付けられる。この取り付けは、一般的に、金属製ブレード１５，４０に形成された穴４４，４５にボルトを通しナットで締め付けることにより行う。そのために、金属製ブレード１５は、床を構成するエラストマ体から突出する下部１７を有しており、金属製ブレード１５の残りの部分はそのエラストマ体に埋設される。
【００３０】
以上、本発明をその具体的態様について詳細に説明したが、本発明は当業者に自明な種々の変更を施した態様で実施するとができる。すなわち、上記実施例の記載は本発明の理解を容易にすることを目的とするものであって何ら限定的なものでないことが理解されるべきである。
【図面の簡単な説明】
【００３１】
【図１】従来のエラストマ製補強構造部を概略的に示す底面図である。
【図２】図１の態様における（急なカーブとそれに続く逆向きの戻りのカーブに対応する）角度変位を示す図である。
【図３ａ】本発明のエラストマ補強構造部を有する床の実施例を示す底面図である。
【図３ｂ】本発明のエラストマ補強構造部を有する床の他の実施例を示す底面図である。
【図４ａ】本発明の他の実施例である床の、床部のみを示す底面斜視図である。
【図４ｂ】上記床の補強構造部のみを示す底面斜視図である。
【図４ｃ】上記床の床部と補強構造部とが組み付けられた状態を示す底面斜視図である。
【図４ｄ】上記床の端部を示す側面図である。
【符号の説明】
【００３２】
１０：エラストマ補強構造部    １２，１４：前後方向の両端    １５：金属製ブレード    １６：横方向の起伏    ２０：中央面    ３０：エラストマ片    ４０：金属製ブレード
【図１】
2005239150.tif 000003
【図２】
2005239150.tif 000004
【図３ａ】
2005239150.tif 000005
【図３ｂ】
2005239150.tif 000006
【図４ａ】
2005239150.tif 000007
【図４ｂ】
2005239150.tif 000008
【図４ｃ】
2005239150.tif 000009
【図４ｄ】
2005239150.tif 000010